(57)【要約】【課題】後方軸筒のデザインと前方軸筒のデザインとを回転位置(回転位相）にずれがない態様で極めて容易に連続させることができるような回転操作式筆記具を提供すること。【解決手段】後方軸筒（３）を回転操作することによってカム筒（１７）を回転させることにより、カム溝（１７ａ）及びスリット（１６ｂ）によってカム突起（１８ａ）が前進し、これに伴ってスライド体（１８）が前進する。当該スライド体（１８）を介して筆記体（１４）を弾性体（１５）の付勢力に抗して前進させる。カム筒（１７）と後方軸筒（３）とが、回転位置決め調整機構（１７ｎ）を介して固定されている。【選択図】図３
2014065153.tif 000002
【特許請求の範囲】
【請求項１】
後方軸筒を前方軸筒に対して回転操作することによって前方軸筒の前方部から筆記体の先端部が突出する回転操作式筆記具であって、
互いに分離された前方軸筒及び後方軸筒と、
前記後方軸筒の内部に設けられると共に、長手方向に設けられたスリットを有し、前記前方軸筒の後部に固定された後方軸筒内筒と、
前記後方軸筒内筒の更に内部に設けられると共に、螺旋状のカム溝を有し、前記後方軸筒に固定されたカム筒と、
前記カム筒のカム溝と前記後方軸筒内筒のスリットとに遊嵌するカム突起と、
前記カム筒の内部に設けられると共に、前記カム突起と一体的に前記カム筒の内部を移動可能なスライド体と、
前記前方軸筒の内部に設けられると共に、前記前方軸筒に対して弾性体によって後方へ付勢された筆記体と、
を備え、
前記スライド体も、前記弾性体によって前記筆記体を介して後方へ付勢されており、
前記後方軸筒を回転操作することによって前記カム筒を回転させることにより、前記カム溝及び前記スリットによって前記カム突起が前進し、これに伴って前記スライド体が前進し、当該スライド体を介して前記筆記体を前記弾性体の付勢力に抗して前進させるようになっており、
前記カム筒と前記後方軸筒とが、回転位置決め調整機構を介して固定されている
ことを特徴とする回転操作式筆記具。
【請求項２】
前記回転位置決め調整機構は、前記カム筒に対して回転位置を調整可能に固定された突起部を有するナットと、前記後方軸筒に設けられた前記ナットの突起部に嵌合する位置合わせ部と、を有している
ことを特徴とする請求項１に記載の回転操作式筆記具。
【請求項３】
前記回転位置決め調整機構は、前記カム筒に対して回転位置を調整可能に固定された陥没部を有するナットと、前記後方軸筒に設けられた前記ナットの陥没部に嵌合する位置合わせ部と、を有している
ことを特徴とする請求項１に記載の回転操作式筆記具。
【請求項４】
前記回転位置決め調整機構は、前記カム筒に固定された雄螺子部を更に有しており、
前記ナットは、回転位置を調整可能に前記雄螺子部に固定されている
ことを特徴とする請求項２または３に記載の回転操作式筆記具。
【請求項５】
前記前方軸筒の後部と前記後方軸筒内筒とは、螺合されている
ことを特徴とする請求項１乃至４のいずれかに記載の回転操作式筆記具。
【請求項６】
前記前方軸筒と前記後方軸筒とは、略三角柱状である
ことを特徴とする請求項１乃至５のいずれかに記載の回転操作式筆記具。
【発明の詳細な説明】
【技術分野】
【０００１】
本発明は、前方軸筒と後方軸筒とが分離可能な筆記具であって、後方軸筒を回転操作することによって前方軸筒の前方部から筆記体の先端部が突出する回転操作式筆記具に関する。
【背景技術】
【０００２】
前方軸筒と後方軸筒とが分離可能な筆記具であって、後方軸筒を回転操作することによって前方軸筒の前方部から筆記体の先端部が突出する回転操作式筆記具は、従来から種々のものが知られている。例えば、本件出願人による特許文献１（特開２００７−３２０２０９）は、そのような回転操作式筆記具の一例を詳細に開示している。
【０００３】
図９は、特許文献１に開示された回転操作式筆記具の断面図である。この回転操作式筆記具は、万年筆１０１であり、軸筒本体１０２の後方部に尾冠１０３が配設されていて、両者が軸筒１０４を形成している。軸筒本体１０２は、雄螺子部１０５ａと雌螺子部１０６ａとが螺合することで結合された前方内筒１０５と後方内筒１０６とに、前軸部材１０７と後軸部材１０８とがそれぞれ被着されることで、構成されている。
【０００４】
軸筒本体１０２の前方内筒１０５の前方部には、更に中空パイプ１０９が装着されており、中空パイプ１０９の前方部には、更にゴム材で形成された弾性先首１１０を装着されている。そして、弾性先首１１０の傾斜前端面１１０ａに、捻りコイルバネ１１１の弾発力によって閉塞するようになっている蓋体１１２が、配設されている。
【０００５】
捻りコイルバネ１１１のコイル部１１１ａは、中空パイプ１０９に装着された軸棒１１３によって挿通されており、当該軸棒１１３は、蓋体１１２の下端においてコイル部１１１ａの両側を挟むように配置された巻返部１１２ａをも挿通している。これにより、蓋体１１２が軸棒１１３を支点として開閉可能となっている。
【０００６】
また、蓋体１１２の上方を曲折してなる係止部１１２ｂに、捻りコイルバネ１１１の前端側に形成された返し部１１１ｂが係止され、中空パイプ１０９の側面に、捻りコイルバネ１１１の後方アーム部１１１ｃが当接されている。これにより、捻りコイルバネ１１１が常に蓋体１１２を弾性先首１１０側に弾発するようになっている。
【０００７】
そして、軸筒本体１０２の内部に、万年筆構造である筆記体１１４が配設されている。筆記体１１４は、筆記体本体１１４ａの前方に筆記先端部１１４ｂとしてのペン体を有しており、筆記体本体１１４ａの後方に万年筆用インキを収容したインキカートリッジ１１４ｃを有している。
【０００８】
また、筆記体本体１１４ａの中間部に形成された段部１１４ｄと、中空パイプ１０９の後端部１０９ａとの間に、コイルスプリング１１５が配設されている。コイルスプリング１１５は、筆記体１１４を常時後方へ弾発する機能を有している。また、筆記体本体１１４ａに設けられたガイド突起１１４ｅが、前方内筒１０５の内面に形成されたスライド溝１０５ｂへ遊嵌している。これにより、筆記体１１４は、回転することなく前後移動できるようになっている。
【０００９】
また、後方内筒１０６の後端に形成された雄螺子部１０６ｂには、円筒状の尾冠内筒１１６の雌螺子部１１６ａが螺合されている。
【００１０】
尾冠内筒１１６の内部には、螺旋状のカム溝１１７ａを有するカム筒１１７が配設されている。また、カム筒１１７の雄螺子部１１７ｂが尾冠１０３の雌螺子部１０３ａに螺合されていることにより、カム筒１１７は尾冠１０３と一体回転可能となっている。
【００１１】
カム筒１１７の内部には、押圧体１１８が配設されている。押圧体１１８の側面には、突起するピン頭部のような形状のカム突起１１８ａが突設されている。カム突起１１８ａは、カム溝１１７ａに遊嵌すると共に、尾冠内筒１１６の長手方向に形成されたスリット１１６ｂにも遊嵌している。図９の例では、カム溝１１７ａ及びスリット１１６ｂは、軸対称に二つずつ設けられており、カム突起１１８ａもそれらに対応して二カ所に設けられている。
【００１２】
押圧体１１８の前端部には、径を大きくされたフランジ１１８ｂが設けられており、当該フランジ１１８ｂに筆記体１１４のインキカートリッジ１１４ｃの後端を当接させている。コイルスプリング１１５は、筆記体１１４を介して押圧体１１８を常時後方へ弾発しており、フランジ１１８ｂの後部に装着されたゴム製のＯリング１１９を、後方内筒１０６の内面に形成された鍔部１０６ｃへと当接させている。従って、図９に示すように、筆記先端部１１４ｂが軸筒本体１０２内に没入した状態では、軸筒本体１０２の前方部は蓋体１１２が弾性先首１１０に当接することで気密性を確保し、軸筒本体１０２の後方部はＯリング１１９が鍔部１０６ｃに当接することによって気密性を確保し、結果的に軸筒本体１０２の内部が密閉されている。
【００１３】
次に、図１０は、筆記先端部１１４ｂを軸筒本体１０２から突出させた状態を示す図である。
【００１４】
尾冠１０３が右方向（図中矢印方向）に回転されると、カム筒１１７も一体に右へ回転され、カム筒１１７のカム溝１１７ａに遊嵌しているカム突起１１８ａにも右へ回転する力が働く。ここで、カム突起１１８ａは尾冠内筒１１６のスリット１１６ｂにも遊嵌しているため、右へ回転することはできず、当該スリット１１６ｂをガイドとしながら螺旋状のカム溝１１７ａの前方へと移動していく。
【００１５】
これに伴って、押圧体１１８がカム突起１１８ａと共に前方へ移動していき、押圧体１１８に当接している筆記体１１４がコイルスプリング１１５を圧縮しながら前進していく。そして、筆記先端部１１４ｂが蓋体１１２を開放し、前軸部材１０７の先端部に形成された先端開口部１０７ａから筆記先端部１１４ｂが突出する。
【００１６】
筆記先端部１１４ｂが先端開口部１０７ａから突出した際には、押圧体１１８のカム突起１１８ａがカム溝１１７ａに連設された保持溝１１７ｃへ係止される。これにより、筆記先端部１１４ｂの突出状態が維持される。保持溝１１７ｃは、螺旋状のカム溝１１７ａの先端部からカム筒１１７の軸方向に少し戻るように形成されて、コイルスプリング１１５によってカム突起１１８ａが保持溝１１７ｃの後側に弾発される際に引っ掛かりが生じるようにしたものである。
【００１７】
図１０に示す状態から尾冠１０３が逆方向（左方向）に回転されると、押圧体１１８のカム突起１１８ａがカム筒１１７の保持溝１１７ｃから解除され、コイルスプリング１１５の弾発力によってカム突起１１８ａは、前進時とは逆方向の力を受け、カム溝１１７ａに逆回転力を掛けながら、当該カム溝１１７ａを後退していく。押圧体１１８の後退により、コイルスプリング１１５に弾発された筆記体１１４も後退する。この後退時に筆記体１１４が受ける衝撃は、押圧体１１８に装着されたＯリング１１９が後方内軸１０６の鍔部１０６ｃに当接することにより、緩和されている。
【先行技術文献】
【特許文献】
【００１８】
【特許文献１】特開２００７−３２０２０９
【発明の概要】
【発明が解決しようとする課題】
【００１９】
前述の特許文献１（特開２００７−３２０２０９）に基づく回転操作式筆記具は、非常に優れた性能を有しており、実際に製品化されて幅広い利用者層に満足して頂いている。
【００２０】
しかしながら、近年、回転操作部としての尾冠１０３を大型化して、前方軸筒としての軸筒本体１０２と同程度のサイズの後方軸筒とした製品が求められている。その機構原理の多くが、前述の特許文献１から流用可能なのであるが、設計開発者が鋭意の検討を重ねるうちに、次の問題が指摘されるに至った。
【００２１】
前述の通り、特許文献１による回転操作式筆記具においては、後方内筒１０６（前方軸筒である軸筒本体１０２の一部）の後端に形成された雄螺子部１０６ｂに、円筒状の尾冠内筒１１６の雌螺子部１１６ａが螺合されている一方、後方軸筒である尾冠１０３の雌螺子部１０３ａに、カム筒１１７の雄螺子部１１７ｂが螺合されている。そして、円筒状の尾冠内筒１１６とカム筒１１７との回転位置（回転位相）関係は、螺旋状のカム溝１１７とカム突起１１８ａとの位置関係から決まっている。
【００２２】
ここで、設計開発者は、後方軸筒である尾冠１０３のデザインと前方軸筒である後方内筒１０６のデザインとについて、図９に示す筆記先端部１１４ｂの収納状態と図１０に示す筆記先端部１１４ｂの突出状態との両方において、回転位置(回転位相）にずれがない態様で連続することを希望するに至った。
【００２３】
図９に示す筆記先端部１１４ｂの収納状態から図１０に示す筆記先端部１１４ｂの突出状態までの、後方軸筒である尾冠１０３と前方軸筒である後方内筒１０６との相対回転の合計角度については、螺旋状のカム溝１１７の前端と後端との回転方向における位置関係を調整することで高精度に調整することが可能である。
【００２４】
従って、図９に示す筆記先端部１１４ｂの収納状態において、後方軸筒である尾冠１０３のデザインと前方軸筒である後方内筒１０６のデザインとを高精度に連続させることができれば、前記設計開発者の希望が叶うことになる。
【００２５】
しかしながら、各螺子部１０６ｂ、１１６ａ、１０３ａ、１１７ｂは、通常、切削部品として製造されるため、螺合部の回転位置出し（完全に螺合した時の回転位相の調整）をすることは非常に困難であった。
【００２６】
本発明は、以上の知見に基づいて創案されたものである。本発明の目的は、後方軸筒のデザインと前方軸筒のデザインとを回転位置(回転位相）にずれがない態様で極めて容易に連続させることができるような回転操作式筆記具を提供することである。
【課題を解決するための手段】
【００２７】
本発明は、後方軸筒を前方軸筒に対して回転操作することによって前方軸筒の前方部から筆記体の先端部が突出する回転操作式筆記具であって、互いに分離された前方軸筒及び後方軸筒と、前記後方軸筒の内部に設けられると共に、長手方向に設けられたスリットを有し、前記前方軸筒の後部に固定された後方軸筒内筒と、前記後方軸筒内筒の更に内部に設けられると共に、螺旋状のカム溝を有し、前記後方軸筒に固定されたカム筒と、前記カム筒のカム溝と前記後方軸筒内筒のスリットとに遊嵌するカム突起と、前記カム筒の内部に設けられると共に、前記カム突起と一体的に前記カム筒の内部を移動可能なスライド体と、前記前方軸筒の内部に設けられると共に、前記前方軸筒に対して弾性体によって後方へ付勢された筆記体と、を備え、前記スライド体も、前記弾性体によって前記筆記体を介して後方へ付勢されており、前記後方軸筒を回転操作することによって前記カム筒を回転させることにより、前記カム溝及び前記スリットによって前記カム突起が前進し、これに伴って前記スライド体が前進し、当該スライド体を介して前記筆記体を前記弾性体の付勢力に抗して前進させるようになっており、前記カム筒と前記後方軸筒とが、回転位置決め調整機構を介して固定されていることを特徴とする回転操作式筆記具である。
【００２８】
本発明によれば、カム筒と後方軸筒とが、回転位置決め調整機構を介して固定されていることにより、例えば前方軸筒と後方軸筒内筒とが螺合によって互いに固定されていて当該固定部における回転位置（回転位相）の調整が困難である場合でも、カム筒と後方軸筒との回転位置（回転位相）を調整することによって、後方軸筒のデザインと前方軸筒のデザインとを回転位置(回転位相）にずれがない態様で連続させることができる。
【００２９】
例えば、回転位置決め調整機構は、前記カム筒に対して回転位置を調整可能に固定された突起部を有するナットと、前記後方軸筒に設けられた前記ナットの突起部に嵌合する位置合わせ部と、を有している。あるいは、凹凸関係を逆転させて、前記回転位置決め調整機構は、前記カム筒に対して回転位置を調整可能に固定された陥没部を有するナットと、前記後方軸筒に設けられた前記ナットの陥没部に嵌合する位置合わせ部と、を有していてもよい。これらの場合、ナットの突起部ないし陥没部のカム筒に対する回転位置を調整することによって、後方軸筒と前方軸筒との回転位置(回転位相）を調整することができる。また、これらの場合、回転位置決め調整機構が前記カム筒に固定された雄螺子部を更に有していて、前記ナットは、回転位置を調整可能に前記雄螺子部に固定されていることが好ましい。
【００３０】
本発明によれば、後方軸筒のデザインと前方軸筒のデザインとを回転位置(回転位相）にずれがない態様で極めて容易に連続させることができるため、例えば、前方軸筒及び後方軸筒の形状として略三角柱状といった斬新な形状を採用することも可能である（図３参照）。
【図面の簡単な説明】
【００３１】
【図１】本発明の一実施の形態の回転操作式筆記具の筆記体の収納状態における概略図である。
【図２】図１の回転操作式筆記具の筆記体の突出状態における概略図である。
【図３】図１の回転操作式筆記具の筆記体の後面図である。
【図４】後方軸筒の組み付けを説明するための図である。
【図５】回転位置決め調整機構であるナットの取り付けを説明するための図である。
【図６】後方軸筒内筒の組み立てを説明するための図である。
【図７】カム筒の組み立てを説明するための図である。
【図８】スライド体の組み立てを説明するための図である。
【図９】従来の回転操作式筆記具の筆記体の収納状態における概略図である。
【図１０】図９の回転操作式筆記具の筆記体の突出状態における概略図である。
【発明を実施するための形態】
【００３２】
以下に、添付の図面を参照して、本発明の実施の形態を詳細に説明する。
【００３３】
図１は、本発明の一実施の形態の回転操作式筆記具の筆記体の収納状態における概略図であり、図２は、図１の回転操作式筆記具の筆記体の突出状態における概略図である。図１及び図２に示すように、この回転操作式筆記具は、万年筆１であり、軸筒として、互いに分離された前方軸筒２及び後方軸筒３を備えている。図３は、図１の回転操作式筆記具の筆記体の後面図である。図３に示すように、本実施の形態の前方軸筒２及び後方軸筒３の形状は、略三角柱状となっている。
【００３４】
図１及び図２に示すように、前方軸筒２の前方部には、捻りコイルバネ１１の弾発力によって閉塞するようになっている蓋体１２が、配設されている。捻りコイルバネ１１のコイル部は、軸棒１３によって挿通されており、蓋体１２は当該軸棒１３を支点として開閉可能となっている。また、捻りコイルバネ１１は、蓋体１２を常に閉塞状態に付勢するようになっている。
【００３５】
前方軸筒２の内部に、万年筆構造である筆記体１４が配設されている。筆記体１４は、筆記体本体１４ａの前方に筆記先端部１４ｂとしてのペン体を有しており、筆記体本体１４ａの後方に万年筆用インキを収容したインキカートリッジ１４ｃを有している。
【００３６】
また、筆記体本体１４ａの中間部に形成された段部１４ｄと前方軸筒２との間に、コイルスプリング１５が配設されている。コイルスプリング１５は、筆記体１４を常時後方へ弾発する機能を有している。また、筆記体本体１４ａに設けられたガイド突起（不図示）が、前方軸筒２の内面に形成されたスライド溝（不図示）へ遊嵌している。これにより、筆記体１４は、回転することなく前後移動できるようになっている。
【００３７】
図４は、後方軸筒３の組み付けを説明するための図であり、図５は、回転位置決め調整機構であるナット１７ｎの取り付けを説明するための図であり、図６は、後方軸筒内筒１６の組み立てを説明するための図であり、図７は、カム筒１７の組み立てを説明するための図であり、図８は、スライド体１８の組み立てを説明するための図である。  図４に示すように、前方軸筒２の後端部には、雌螺子部２ａが形成されている。そして当該雄螺子部に、円筒状の後方軸筒内筒１６の前方端部に形成された雄螺子部１６ａ（図６参照）が螺合されている（図５参照）。
【００３８】
後方軸筒内筒１６の内部には、螺旋状のカム溝１７ａを有するカム筒１７が配設されている（図６参照）。また、カム筒１７の雄螺子部１７ｓが、回転位置決め調整機構としての突起部付きナット１７ｎを介して後方軸筒３の位置合わせ部３ｎ（例えば突起部付きナット１７ｎの突起部を受容可能な凹部）に結合されていることにより、カム筒１７は後方軸筒３と一体回転可能となっている（図４、図５及び図６参照）。
【００３９】
本実施の形態における回転位置決め調整機構は、カム筒１７に固定された雄螺子部１７ｓと、当該雄螺子部１７ｓに螺合される突起部付きナット１７ｎと、を有している。突起部付きナット１７ｎは、外周の一部に突起部が設けられている。雄螺子部１７ｓに対する突起部付きナット１７ｎの螺合位置を調整することによって（例えば雄螺子部１７ｓの根元まで突起部付きナット１７ｎを螺合させないようにすることで）、突起部付きナット１７ｎの突起部の回転位置（回転位相）を所望に高精度に調整することができる。これにより、結果的に、カム筒１７に固定された後方軸筒３と後方軸筒内筒１６に固定された前方軸筒２との回転位置（回転位相）を所望に高精度に調整することができる。
【００４０】
カム筒１７の内部には、一端側が開放した中空円筒状の中空本体１８ｍが配設されている（図７及び図８参照）。中空本体１８ｍの側面には、カム突起１８ａ（例えば挿入ピンからなる：図６参照）が挿入されるカム突起用孔１８ｂが設けられている。カム突起用孔１８ｂに挿入されるカム突起１８ａは、カム溝１７ａに遊嵌すると共に、後方軸筒内筒１６の長手方向に形成されたスリット１６ｂにも遊嵌している。本実施の形態では、カム溝１７ａ及びスリット１６ｂは、軸対称に二つずつ設けられており、カム突起１８ａもそれらに対応して二カ所に設けられている（挿入ピンの両端が突出している）。
【００４１】
図８に示すように、スライド体１８の中空本体１８ｍの内部には、コイルスプリング１８ｃが挿入されており、当該コイルスプリング１８ｃが少し圧縮された状態となるように（１００ｇｆ程度の荷重がかかった状態となるように）、中空本体１８ｍの開放端にフランジ体１８ｆが設けられている。
【００４２】
具体的には、フランジ体１８ｆがコイルスプリング１８ｃとの当接側に小フランジ部１８ｓを有していて、当該小フランジ部が中空本体１８ｍに設けられた貫通長孔１８ｈに係合されることで、コイルスプリング１８ｃの圧縮状態が維持されるようになっている。また、小フランジ部１８ｓは、更にコイルスプリング１８ｃを圧縮する方向に当該貫通長孔１８ｈ内を摺動移動可能となっている。
【００４３】
また、図１に示す筆記体の収納状態において、カム突起１８ａはスリット１６ｂの後端部に当接しておらず、僅かに離間している。すなわち、スリット１６ｂの長さに余裕を持たせてある。これにより、スリット１６ｂを有する後方軸筒内筒１６の内部に、カム筒１７を、後方側に更なる付勢力を与えた状態で実装することが容易となっている。本実施の形態では、当該更なる付勢力を与えていない状態で、カム突起１８ａがカム溝１７ａの後端部に当接するようにしてある。そして、前記更なる付勢力を与えた状態で、コイルスプリング１８ｃの最終的な初期荷重が１００ｇｆ程度となるように調整されている。
【００４４】
一方、フランジ体１８ｆの小フランジ部１８ｓとは逆側の端部には大フランジ部が設けられており、当該大フランジ部に筆記体１４のインキカートリッジ１４ｃの後端が当接されている。また、当該大フランジ部にはゴム製のＯリング１９が設けられている。
【００４５】
コイルスプリング１５は、１００ｇｆを上回るスプリング力で筆記体１４を介してフランジ体１８ｆを常時後方へ弾発しており、フランジ体１８ｆの大フランジ部に装着されたゴム製のＯリング１９を、後方軸筒３の内面に形成された鍔部３ｃへと当接させている（図１参照）。
【００４６】
これにより、図１に示すように、筆記先端部１４ｂが前方軸筒２内に没入した状態では、前方軸筒２の前方部は蓋体１２が閉塞することで気密性を確保し、前方軸筒２の後方部はＯリング１９が鍔部３ｃに当接することによって気密性を確保し、結果的に前方軸筒２の内部が確実に密閉されている。
【００４７】
次に、図２は、筆記先端部１４ｂを前方軸筒２から突出させた状態を示す図である。
【００４８】
後方軸筒３が右方向に回転されると、カム筒１７も一体に右へ回転され、カム筒１７のカム溝１７ａに遊嵌しているカム突起１８ａにも右へ回転する力が働く。ここで、カム突起１８ａは後方軸筒内筒１６のスリット１６ｂにも遊嵌しているため、右へ回転することはできず、当該スリット１６ｂをガイドとしながら螺旋状のカム溝１７ａの前方へと移動していく。
【００４９】
これに伴って、スライド体１８がカム突起１８ａと共に前方へ移動していき、コイルスプリング１８ｃ及びフランジ体１８ｆを介して筆記体１４がコイルスプリング１５を圧縮しながら前進していく。そして、筆記先端部１４ｂが蓋体１２を開放する。
【００５０】
筆記先端部１４ｂが突出した際には、スライド体１８のカム突起１８ａがカム溝１７ａに連設された保持溝１７ｃ（図６参照）へ係止される。これにより、筆記先端部１４ｂの突出状態が維持される。保持溝１７ｃは、螺旋状のカム溝１７ａの先端部からカム筒１７の軸方向に少し戻るように形成されて、コイルスプリング１５によってカム突起１８ａが保持溝１７ｃの後側に弾発される際に引っ掛かりが生じるようにしたものである。
【００５１】
図２に示す状態から後方軸筒３が逆方向（左方向）に回転されると、スライド体１８のカム突起１８ａがカム筒１７の保持溝１７ｃから解除され、コイルスプリング１５の弾発力によって、フランジ体１８ｆ及びコイルスプリング１８ｃを介して、カム突起１８ａは前進時とは逆方向の力を受け、カム溝１７ａに逆回転力を掛けながら、当該カム溝１７ａを後退していく。スライド体１８の後退により、コイルスプリング１５に弾発された筆記体１４も後退する。
【００５２】
以上のような本実施の形態によれば、カム筒１７と後方軸筒３とが、回転位置決め調整機構としての突起部付きナット１７ｎと当該突起部付きナット１７ｎの突起部に対応する凹部である位置合わせ部３ｎとの嵌合を介して固定されていることにより、例えば前方軸筒２と後方軸筒内筒１６とが螺合によって互いに固定されていて当該固定部における回転位置（回転位相）の調整が困難である場合でも、カム筒１７と後方軸筒３との回転位置（回転位相）を調整することによって、後方軸筒３のデザインと前方軸筒２のデザインとを回転位置(回転位相）にずれがない態様で連続させることができる。
【００５３】
このような本実施の形態によれば、後方軸筒３のデザインと前方軸筒２のデザインとを回転位置(回転位相）にずれがない態様で極めて容易に連続させることができるため、図３に示すように、前方軸筒２及び後方軸筒３の形状として略三角柱状といった斬新な形状を採用することが可能である。
【００５４】
もっとも、突起部付きナット１７ｎの突起部と位置合わせ部３ｎとしての凹部との固定については、嵌合態様に限定されず、変形要素を用いたスナップ結合等、他の任意の公知の係合態様が採用され得る。また、凹凸関係を逆転させて、突起部付きナット１７ｎの代わりに陥没部付きナットを用いて、カム筒１７と後方軸筒３とが、回転位置決め調整機構としての陥没部付きナットと当該陥没部付きナットの陥没部に対応する凸部である位置合わせ部３ｎとの嵌合（あるいは他の係合態様）を介して固定されるという態様も採用され得る。
【００５５】
また、本実施の形態によれば、コイルスプリング１５に弾発された筆記体１４が後退して、スライド体１８のＯリング１９が当該鍔部３ｃに当接した際の気密維持性能を十分に発揮することができる。
【００５６】
更に、本実施の形態によれば、Ｏリング１９が鍔部３ｃに当接した状態において、スライド体１８のカム突起１８ａ及び中空本体１８ｍがコイルスプリング１８ｃによって後方へと付勢された状態になるため、カム溝１７ａの後部がカム突起１８ａで付勢されることになり、カム筒１７に結合された後方軸筒１６が回転方向及び前後方向への動きが規制されるので、結果的に後方軸筒１０６の前方軸筒１０２に対する回転方向及び前後方向の「がたつき」が極めて効果的に防止される。
【符号の説明】
【００５７】
１  万年筆
２  前方軸筒
２ａ  雌螺子部
３  後方軸筒
３ｃ  顎部
３ｎ  位置合わせ部
１１  捻りコイルバネ
１２  蓋体
１３  軸棒
１４  筆記体
１４ａ  筆記体本体
１４ｂ  筆記先端部
１４ｃ  インキカートリッジ
１５  コイルスプリング
１６  後方軸筒内筒
１６ａ  雄螺子部
１６ｂ  スリット
１７  カム筒
１７ａ  カム溝
１７ｎ  突起部付きナット（回転位置決め調整機構）
１７ｓ  雄螺子部
１８  スライド体
１８ｍ  中空本体
１８ａ  カム突起
１８ｂ  カム突起用孔
１８ｃ  コイルスプリング
１８ｆ  フランジ体
１８ｈ  貫通長孔
１８ｓ  小フランジ部
１９  Ｏリング
【図１】
2014065153.tif 000003
【図２】
2014065153.tif 000004
【図３】
2014065153.tif 000005
【図４】
2014065153.tif 000006
【図５】
2014065153.tif 000007
【図６】
2014065153.tif 000008
【図７】
2014065153.tif 000009
【図８】
2014065153.tif 000010
【図９】
2014065153.tif 000011
【図１０】
2014065153.tif 000012